(57)【特許請求の範囲】
【請求項１】
外部から入力されるディジタル情報を情報記録媒体に記録する情報記録装置において、
フェードアウトする時間軸特性を夫々に有する複数の窓関数であって、相隣接する当該窓関数間で時間軸上の重なりを有する複数の窓関数を前記ディジタル情報に夫々乗算し、複数の乗算ディジタル情報を夫々生成する乗算手段と、
夫々の前記窓関数に対応する複数の前記乗算ディジタル情報を前記情報記録媒体に記録する記録手段と、
前記ディジタル情報の当該情報記録媒体への記録を終了するとき、当該終了するタイミングを含む前記窓関数に対応する前記乗算ディジタル情報である終了乗算ディジタル情報を零情報とし、当該零情報を当該終了乗算ディジタル情報に代えて前記情報記録媒体に記録した後に前記ディジタル情報の記録を終了する終了手段と、
を備えることを特徴とする情報記録装置。
【請求項２】
外部から入力されるディジタル情報を情報記録媒体に記録する情報記録装置において、
フェードインする時間軸特性を夫々に有する複数の窓関数であって、相隣接する当該窓関数間で時間軸上の重なりを有する複数の窓関数を前記ディジタル情報に夫々乗算し、複数の乗算ディジタル情報を夫々生成する乗算手段と、
夫々の前記窓関数に対応する複数の前記乗算ディジタル情報を前記情報記録媒体に記録する記録手段と、
前記ディジタル情報の記録を開始するとき、当該開始するタイミングを含む前記窓関数に対応する前記乗算ディジタル情報を零情報とし、当該零情報を前記情報記録媒体に記録した後に当該開始するタイミングより後に記録すべき前記ディジタル情報の記録を開始する開始手段と、
を備えることを特徴とする情報記録装置。
【請求項３】
外部から入力されるディジタル情報を情報記録媒体に記録する情報記録装置において、
フェードインする時間の後にフェードアウトする時間が連続する時間軸特性を夫々に有する複数の窓関数であって、相隣接する当該窓関数間で時間軸上の重なりを有する複数の窓関数を前記ディジタル情報に夫々乗算し、複数の乗算ディジタル情報を夫々生成する乗算手段と、
夫々の前記窓関数に対応する複数の前記乗算ディジタル情報を前記情報記録媒体に記録する記録手段と、
前記ディジタル情報の当該情報記録媒体への記録を中断するとき、当該中断するタイミングを含む前記窓関数に対応する前記乗算ディジタル情報である中断乗算ディジタル情報を零情報とし、当該零情報を当該中断乗算ディジタル情報に代えて前記情報記録媒体に記録した後に前記ディジタル情報の記録を中断する中断手段と、
前記ディジタル情報の記録を再開するとき、当該再開するタイミングを含む前記窓関数に対応する前記乗算ディジタル情報を零情報とし、当該零情報を前記情報記録媒体に記録した後に当該再開するタイミングより後に記録すべき前記ディジタル情報の記録を再開する再開手段と、
を備えることを特徴とする情報記録装置。
【請求項４】
外部から入力されるディジタル情報を情報記録媒体に記録する情報記録装置において、
フェードインする時間の後にフェードアウトする時間が連続する時間軸特性を夫々に有する複数の窓関数であって、相隣接する当該窓関数間で時間軸上の重なりを有する複数の窓関数を前記ディジタル情報に夫々乗算し、複数の乗算ディジタル情報を夫々生成する乗算手段と、
夫々の前記窓関数に対応する複数の前記乗算ディジタル情報を前記情報記録媒体に記録する記録手段と、
前記ディジタル情報の当該情報記録媒体への記録を中断するとき、当該中断するタイミングを含む前記ディジタル情報を零情報に置換し、当該置換された零情報を前記中断するタイミングを含む前記乗算ディジタル情報に代えて前記情報記録媒体に記録した後に前記ディジタル情報の記録を中断する中断手段と、
中断後に前記ディジタル情報の当該情報記録媒体への記録を再開するとき、当該再開するタイミングを含む前記ディジタル情報を零情報に置換し、当該置換された零情報を前記再開するタイミングを含む前記乗算ディジタル情報に代えて前記情報記録媒体に記録した後に前記再開するタイミングより後に記録すべき前記ディジタル情報の記録を再開する再開手段と、
を備えることを特徴とする情報記録装置。
【請求項５】
請求項１から４のいずれか一項に記載の情報記録装置において、
複数の前記窓関数は、時間軸上において夫々の前記窓関数に対応する時間の半分の時間づつ相互に重なりを有することを特徴とする情報記録装置。
【請求項６】
請求項１から５のいずれか一項に記載の情報記録装置において、
前記ディジタル情報はオーディオ情報であることを特徴とする情報記録装置。
【請求項７】
請求項６に記載の情報記録装置において、
前記窓関数はＭＤＣＴ（Modified  Discrete  Cosine  Transform）符号化方式における歪み除去のための窓関数であることを特徴とする情報記録装置。
【請求項８】
外部から入力されるディジタル情報を情報記録媒体に記録する情報記録方法において、
フェードアウトする時間軸特性を夫々に有する複数の窓関数であって、相隣接する当該窓関数間で時間軸上の重なりを有する複数の窓関数を前記ディジタル情報に夫々乗算し、複数の乗算ディジタル情報を夫々生成する乗算工程と、
夫々の前記窓関数に対応する複数の前記乗算ディジタル情報を前記情報記録媒体に記録する記録工程と、
前記ディジタル情報の当該情報記録媒体への記録を終了するとき、当該終了するタイミングを含む前記窓関数に対応する前記乗算ディジタル情報である終了乗算ディジタル情報を零情報とし、当該零情報を当該終了乗算ディジタル情報に代えて前記情報記録媒体に記録した後に前記ディジタル情報の記録を終了する終了工程と、
を備えることを特徴とする情報記録方法。
【請求項９】
外部から入力されるディジタル情報を情報記録媒体に記録する情報記録方法において、
フェードインする時間軸特性を夫々に有する複数の窓関数であって、相隣接する当該窓関数間で時間軸上の重なりを有する複数の窓関数を前記ディジタル情報に夫々乗算し、複数の乗算ディジタル情報を夫々生成する乗算工程と、
夫々の前記窓関数に対応する複数の前記乗算ディジタル情報を前記情報記録媒体に記録する記録工程と、
前記ディジタル情報の記録を開始するとき、当該開始するタイミングを含む前記窓関数に対応する前記乗算ディジタル情報を零情報とし、当該零情報を前記情報記録媒体に記録した後に当該開始するタイミングより後に記録すべき前記ディジタル情報の記録を開始する開始工程と、
を備えることを特徴とする情報記録方法。
【請求項１０】
外部から入力されるディジタル情報を情報記録媒体に記録する情報記録方法において、
フェードインする時間の後にフェードアウトする時間が連続する時間軸特性を夫々に有する複数の窓関数であって、相隣接する当該窓関数間で時間軸上の重なりを有する複数の窓関数を前記ディジタル情報に夫々乗算し、複数の乗算ディジタル情報を夫々生成する乗算工程と、
夫々の前記窓関数に対応する複数の前記乗算ディジタル情報を前記情報記録媒体に記録する記録工程と、
前記ディジタル情報の当該情報記録媒体への記録を中断するとき、当該中断するタイミングを含む前記窓関数に対応する前記乗算ディジタル情報である中断乗算ディジタル情報を零情報とし、当該零情報を当該中断乗算ディジタル情報に代えて前記情報記録媒体に記録した後に前記ディジタル情報の記録を中断する中断工程と、
前記ディジタル情報の記録を再開するとき、当該再開するタイミングを含む前記窓関数に対応する前記乗算ディジタル情報を零情報とし、当該零情報を前記情報記録媒体に記録した後に当該再開するタイミングより後に記録すべき前記ディジタル情報の記録を再開する再開工程と、
を備えることを特徴とする情報記録方法。
【請求項１１】
外部から入力されるディジタル情報を情報記録媒体に記録する情報記録方法において、
フェードインする時間の後にフェードアウトする時間が連続する時間軸特性を夫々に有する複数の窓関数であって、相隣接する当該窓関数間で時間軸上の重なりを有する複数の窓関数を前記ディジタル情報に夫々乗算し、複数の乗算ディジタル情報を夫々生成する乗算工程と、
夫々の前記窓関数に対応する複数の前記乗算ディジタル情報を前記情報記録媒体に記録する記録工程と、
前記ディジタル情報の当該情報記録媒体への記録を中断するとき、当該中断するタイミングを含む前記ディジタル情報を零情報に置換し、当該置換された零情報を前記中断するタイミングを含む前記乗算ディジタル情報に代えて前記情報記録媒体に記録した後に前記ディジタル情報の記録を中断する中断工程と、
中断後に前記ディジタル情報の当該情報記録媒体への記録を再開するとき、当該再開するタイミングを含む前記ディジタル情報を零情報に置換し、当該置換された零情報を前記再開するタイミングを含む前記乗算ディジタル情報に代えて前記情報記録媒体に記録した後に前記再開するタイミングより後に記録すべき前記ディジタル情報の記録を再開する再開工程と、
を備えることを特徴とする情報記録方法。
【請求項１２】
請求項８から１１のいずれか一項に記載の情報記録方法において、
複数の前記窓関数は、時間軸上において夫々の前記窓関数に対応する時間の半分の時間づつ相互に重なりを有することを特徴とする情報記録方法。
【請求項１３】
請求項８から１２のいずれか一項に記載の情報記録方法において、
前記ディジタル情報はオーディオ情報であることを特徴とする情報記録方法。
【請求項１４】
請求項１３に記載の情報記録方法において、
前記窓関数はＭＤＣＴ符号化方式における歪み除去のための窓関数であることを特徴とする情報記録方法。
【発明の詳細な説明】
【０００１】
【発明の属する技術分野】
本発明は、情報記録装置及び情報記録方法の技術分野に属し、より詳細には、情報記録媒体への情報記録終了時及び情報記録再開時における当該記録終了制御及び当該記録再開制御の技術分野に属する。
【０００２】
【従来の技術】
従来、例えば音声又は音楽等のオーディオ情報等を圧縮した後に光ディスク等の情報記録媒体に記録することが一般に行われている。
【０００３】
そして、この情報記録時において、当該記録を一時的に中断する際に行われる処理について考えると、当該一時中断が指示された場合には、当該指示されたタイミング以降の記録すべきオーディオ情報等の取り込みを停止し、次に記録再開が指示されたタイミングから再度記録すべきオーディオ情報等の取り込みを開始して情報記録を再開する処理が実行されることとなる。
【０００４】
ここで、従来実行されていた記録すべきオーディオ情報等の取り込み状態を制御することにより記録中断及び再開を制御する方法によると、当該中断時と再開時で記録すべきデータに大きなレベル差があった場合等においては、その中断時を含んでその前後で連続的に記録されているオーディオ情報を再生した場合に、当該中断タイミングにおいて突発的な雑音が発生する場合があるという問題点があった。
【０００５】
なお、この問題点は、例えば、単にオーディオ情報等の記録終了を行う場合であっても、その終了直前に大きな記録レベルでオーディオ情報を記録していたときであってその終了前後を挟んで記録されたオーディオ情報を再生する場合にも生じる問題点であり、更に、単に新たにオーディオ情報等の記録を開始する場合であっても、その開始直後に大きな記録レベルでオーディオ情報を記録したときであってその開始前後を挟んで記録されたオーディオ情報を再生する場合に生じる問題点でもある。
【０００６】
そこで、この問題点を解決すべく、従来、記録中断時（又は記録終了時。以下、これらを纏めて記録中断時と称する。）においては当該中断指示タイミング以降に記録すべきオーディオ情報等をフェードアウトさせ、一方記録再開時（又は記録開始時。以下、これらを纏めて記録再開時と称する。）においては当該再開指示タイミング以降に記録すべきオーディオ情報等をフェードインさせることで、当該中断又は再開タイミングにおけるオーディオ情報のレベルを実質的に零レベルとする処理が行われていた。
【０００７】
ここで、当該フェードアウトとは、記録すべきオーディオ情報等の記録レベルを漸次低減して最終的に零レベルとする処理を言い、一方フェードインとは、当該オーディオ情報等の記録レベルを当初零レベルとしておき、その後、漸次増大させて本来の記録レベルに復帰させることを言う。
【０００８】
【発明が解決しようとする課題】
しかしながら、上記従来のフェードアウト処理及びフェードイン処理においては、記録中断が指示された以降所定の時間内に漸次低減させると共に再度漸次増大させる必要があるので、特に、オーディオ情報等を圧縮して記録する場合等において記録のための処理が複雑化する場合があるという問題点があった。
【０００９】
そこで、本発明は、上記の問題点に鑑みて為されたもので、その課題は、簡易な処理によりフェードアウト処理及びフェードイン処理を行うことにより、記録中断及び記録再開が為されると共にその中断又は再開前後を含んで記録された情報を再生する場合に不要な雑音が発生することを防止して情報を再生できるように当該情報を記録することが可能な情報記録装置及び情報記録方法を提供することにある。
【００１０】
【課題を解決するための手段】
上記の課題を解決するために、請求項１に記載の発明は、外部から入力されるディジタル情報を光ディスク等の情報記録媒体に記録する情報記録装置において、フェードアウトする時間軸特性を夫々に有する複数の窓関数であって、相隣接する当該窓関数間で時間軸上の重なりを有する複数の窓関数を前記ディジタル情報に夫々乗算し、複数の乗算ディジタル情報を夫々生成する乗算部等の乗算手段と、夫々の前記窓関数に対応する複数の前記乗算ディジタル情報を前記情報記録媒体に記録するピックアップ等の記録手段と、前記ディジタル情報の当該情報記録媒体への記録を終了するとき、当該終了するタイミングを含む前記窓関数に対応する前記乗算ディジタル情報である終了乗算ディジタル情報を零情報とし、当該零情報を当該終了乗算ディジタル情報に代えて前記情報記録媒体に記録した後に前記ディジタル情報の記録を終了するＣＰＵ等の終了手段と、を備える。
【００１１】
よって、ディジタル情報に乗算される窓関数がフェードアウトする時間軸特性を有すると共に、ディジタル情報の記録を終了するとき終了乗算ディジタル情報を零情報とし、当該零情報を当該終了乗算ディジタル情報に代えて情報記録媒体に記録した後にディジタル情報の記録を終了するので、記録終了直前のディジタル情報の記録強度の変化が窓関数のフェードアウトと同様の変化となり、ディジタル情報の記録終了時において簡易な処理でフェードアウトさせることができると共に、ディジタル情報の記録強度が記録終了時において急激に低減することによる再生時の雑音発生を防止することができる。
【００１２】
上記の課題を解決するために、請求項２に記載の発明は、外部から入力されるディジタル情報を光ディスク等の情報記録媒体に記録する情報記録装置において、フェードインする時間軸特性を夫々に有する複数の窓関数であって、相隣接する当該窓関数間で時間軸上の重なりを有する複数の窓関数を前記ディジタル情報に夫々乗算し、複数の乗算ディジタル情報を夫々生成する乗算部等の乗算手段と、夫々の前記窓関数に対応する複数の前記乗算ディジタル情報を前記情報記録媒体に記録するピックアップ等の記録手段と、前記ディジタル情報の記録を開始するとき、当該開始するタイミングを含む前記窓関数に対応する前記乗算ディジタル情報を零情報とし、当該零情報を前記情報記録媒体に記録した後に当該開始するタイミングより後に記録すべき前記ディジタル情報の記録を開始するＣＰＵ等の開始手段と、を備える。
【００１３】
よって、ディジタル情報に乗算される窓関数がフェードインする時間軸特性を有すると共に、ディジタル情報の記録を開始するとき、開始するタイミングを含む窓関数に対応する乗算ディジタル情報を零情報とし、当該零情報を情報記録媒体に記録した後にディジタル情報の記録を開始するので、記録開始直後のディジタル情報の記録強度の変化が窓関数のフェードインと同様の変化となり、ディジタル情報の記録開始時において簡易な処理でフェードインさせることができると共に、ディジタル情報の記録強度が記録開始時において急激に増大することによる再生時の雑音発生を防止することができる。
【００１４】
上記の課題を解決するために、請求項３に記載の発明は、外部から入力されるディジタル情報を光ディスク等の情報記録媒体に記録する情報記録装置において、フェードインする時間の後にフェードアウトする時間が連続する時間軸特性を夫々に有する複数の窓関数であって、相隣接する当該窓関数間で時間軸上の重なりを有する複数の窓関数を前記ディジタル情報に夫々乗算し、複数の乗算ディジタル情報を夫々生成する乗算部等の乗算手段と、夫々の前記窓関数に対応する複数の前記乗算ディジタル情報を前記情報記録媒体に記録するピックアップ等の記録手段と、前記ディジタル情報の当該情報記録媒体への記録を中断するとき、当該中断するタイミングを含む前記窓関数に対応する前記乗算ディジタル情報である中断乗算ディジタル情報を零情報とし、当該零情報を当該中断乗算ディジタル情報に代えて前記情報記録媒体に記録した後に前記ディジタル情報の記録を中断するＣＰＵ等の中断手段と、前記ディジタル情報の記録を再開するとき、当該再開するタイミングを含む前記窓関数に対応する前記乗算ディジタル情報を零情報とし、当該零情報を前記情報記録媒体に記録した後に当該再開するタイミングより後に記録すべき前記ディジタル情報の記録を再開するＣＰＵ等の再開手段と、を備える。
【００１５】
よって、ディジタル情報に乗算される窓関数がフェードインする時間の後にフェードアウトする時間が連続する時間軸特性を有すると共に、ディジタル情報の記録を中断するとき、当該中断乗算ディジタル情報を零情報とし、当該零情報を情報記録媒体に記録した後にディジタル情報の記録を中断し、更にディジタル情報の記録を再開するとき、当該再開するタイミングを含む窓関数に対応する乗算ディジタル情報を零情報とし、当該零情報を情報記録媒体に記録した後に乗算ディジタル情報の記録を再開するので、中断直前又は再開直後におけるディジタル情報の記録強度の変化が窓関数のフェードアウト及びフェードインと同様の変化となることとなり、ディジタル情報の記録の中断／再開時において簡易な処理でフェードアウト及びフェードインさせることができると共に、ディジタル情報の記録強度が中断／再開時の前後で不連続に大幅に変化することに起因する中断前後に渡る連続再生時の雑音発生を防止することができる。
【００１６】
上記の課題を解決するために、請求項４に記載の発明は、外部から入力されるディジタル情報を光ディスク等の情報記録媒体に記録する情報記録装置において、フェードインする時間の後にフェードアウトする時間が連続する時間軸特性を夫々に有する複数の窓関数であって、相隣接する当該窓関数間で時間軸上の重なりを有する複数の窓関数を前記ディジタル情報に夫々乗算し、複数の乗算ディジタル情報を夫々生成する乗算部等の乗算手段と、夫々の前記窓関数に対応する複数の前記乗算ディジタル情報を前記情報記録媒体に記録するピックアップ等の記録手段と、前記ディジタル情報の当該情報記録媒体への記録を中断するとき、当該中断するタイミングを含む前記ディジタル情報を零情報に置換し、当該置換された零情報を前記中断するタイミングを含む前記乗算ディジタル情報に代えて前記情報記録媒体に記録した後に前記ディジタル情報の記録を中断するＣＰＵ等の中断手段と、中断後に前記ディジタル情報の当該情報記録媒体への記録を再開するとき、当該再開するタイミングを含む前記ディジタル情報を零情報に置換し、当該置換された零情報を前記再開するタイミングを含む前記乗算ディジタル情報に代えて前記情報記録媒体に記録した後に前記再開するタイミングより後に記録すべき前記ディジタル情報の記録を再開するＣＰＵ等の再開手段と、を備える。
【００１７】
よって、ディジタル情報に乗算される窓関数がフェードインする時間の後にフェードアウトする時間が連続する時間軸特性を有すると共に、ディジタル情報の記録を中断するとき、中断するタイミングを含むディジタル情報を零情報に置換し、当該置換された零情報を中断するタイミングを含む乗算ディジタル情報に代えて情報記録媒体に記録した後にディジタル情報の記録を中断し、更にディジタル情報の記録を再開するとき、再開するタイミングを含むディジタル情報を零情報に置換し、当該置換された零情報を再開するタイミングを含む乗算ディジタル情報に代えて情報記録媒体に記録した後に再開するタイミングより後に記録すべきディジタル情報の記録を再開するので、中断直前又は再開直後におけるディジタル情報の記録強度の変化が窓関数のフェードアウト及びフェードインと同様の変化となることとなり、ディジタル情報の記録の中断／再開時において簡易な処理でフェードアウト及びフェードインさせることができると共に、ディジタル情報の記録強度が中断／再開時の前後で不連続に大幅に変化することに起因する中断前後に渡る連続再生時の雑音発生を防止することができる。
【００１８】
上記の課題を解決するために、請求項５に記載の発明は、請求項１から４のいずれか一項に記載の情報記録装置において、複数の前記窓関数は、時間軸上において夫々の前記窓関数に対応する時間の半分の時間づつ相互に重なりを有するように構成される。
【００１９】
よって、元のディジタル情報に忠実な乗算ディジタル情報を生成して記録することができる。
【００２０】
上記の課題を解決するために、請求項６に記載の発明は、請求項１から５のいずれか一項に記載の情報記録装置において、前記ディジタル情報はオーディオ情報であるように構成される。
【００２１】
よって、オーディオ情報の記録終了時、記録開始時又は記録中断／再開時における聴感上の雑音の発生を抑制することができる。
【００２２】
上記の課題を解決するために、請求項７に記載の発明は、請求項６に記載の情報記録装置において、前記窓関数は、ＭＤＣＴ符号化方式における歪み除去のための窓関数であるように構成される。
【００２３】
よって、ＭＤＣＴ符号化方式を用いてオーディオ情報を記録する際における記録終了時又は記録開始時或いは記録／再開時において、簡易な処理でフェードアウト又はフェードインさせることができると共に再生時における聴感上の雑音の発生を抑制することができる。
【００２４】
上記の課題を解決するために、請求項８に記載の発明は、外部から入力されるディジタル情報を光ディスク等の情報記録媒体に記録する情報記録方法において、フェードアウトする時間軸特性を夫々に有する複数の窓関数であって、相隣接する当該窓関数間で時間軸上の重なりを有する複数の窓関数を前記ディジタル情報に夫々乗算し、複数の乗算ディジタル情報を夫々生成する乗算工程と、夫々の前記窓関数に対応する複数の前記乗算ディジタル情報を前記情報記録媒体に記録する記録工程と、前記ディジタル情報の当該情報記録媒体への記録を終了するとき、当該終了するタイミングを含む前記窓関数に対応する前記乗算ディジタル情報である終了乗算ディジタル情報を零情報とし、当該零情報を当該終了乗算ディジタル情報に代えて前記情報記録媒体に記録した後に前記ディジタル情報の記録を終了する終了工程と、を備える。
【００２５】
よって、ディジタル情報に乗算される窓関数がフェードアウトする時間軸特性を有すると共に、ディジタル情報の記録を終了するとき、当該終了乗算ディジタル情報を零情報とし、当該零情報を終了乗算ディジタル情報に代えて情報記録媒体に記録した後にディジタル情報の記録を終了するので、記録終了直前のディジタル情報の記録強度の変化が窓関数のフェードアウトと同様の変化となり、ディジタル情報の記録終了時において簡易な処理でフェードアウトさせることができると共に、ディジタル情報の記録強度が記録終了時において急激に低減することによる再生時の雑音発生を防止することができる。
【００２６】
上記の課題を解決するために、請求項９に記載の発明は、外部から入力されるディジタル情報を光ディスク等の情報記録媒体に記録する情報記録方法において、フェードインする時間軸特性を夫々に有する複数の窓関数であって、相隣接する当該窓関数間で時間軸上の重なりを有する複数の窓関数を前記ディジタル情報に夫々乗算し、複数の乗算ディジタル情報を夫々生成する乗算工程と、夫々の前記窓関数に対応する複数の前記乗算ディジタル情報を前記情報記録媒体に記録する記録工程と、前記ディジタル情報の記録を開始するとき、当該開始するタイミングを含む窓関数に対応する前記乗算ディジタル情報を零情報とし、当該零情報を前記情報記録媒体に記録した後に当該開始するタイミングより後に記録すべき前記ディジタル情報の記録を開始する開始工程と、を備える。
【００２７】
よって、ディジタル情報に乗算される窓関数がフェードインする時間軸特性を有すると共に、ディジタル情報の記録を開始するとき、当該開始するタイミングを含む窓関数に対応する乗算ディジタル情報を零情報とし、当該零情報を情報記録媒体に記録した後にディジタル情報の記録を開始するので、開始直後の記録ディジタル情報の記録強度の変化が窓関数のフェードインと同様の変化となり、ディジタル情報の記録開始時において簡易な処理でフェードインさせることができると共に、記録ディジタル情報の記録強度が記録開始時において急激に増大することによる再生時の雑音発生を防止することができる。
【００２８】
上記の課題を解決するために、請求項１０に記載の発明は、外部から入力されるディジタル情報を光ディスク等の情報記録媒体に記録する情報記録方法において、フェードインする時間の後にフェードアウトする時間が連続する時間軸特性を夫々に有する複数の窓関数であって、相隣接する当該窓関数間で時間軸上の重なりを有する複数の窓関数を前記ディジタル情報に夫々乗算し、複数の乗算ディジタル情報を夫々生成する乗算工程と、夫々の前記窓関数に対応する複数の前記乗算ディジタル情報を前記情報記録媒体に記録する記録工程と、前記ディジタル情報の当該情報記録媒体への記録を中断するとき、当該中断するタイミングを含む前記窓関数に対応する前記乗算ディジタル情報である中断乗算ディジタル情報を零情報とし、当該零情報を当該中断乗算ディジタル情報に代えて前記情報記録媒体に記録した後に前記ディジタル情報の記録を中断する中断工程と、前記ディジタル情報の記録を再開するとき、当該再開するタイミングを含む前記窓関数に対応する前記乗算ディジタル情報を零情報とし、当該零情報を前記情報記録媒体に記録した後に当該再開するタイミングより後に記録すべき前記ディジタル情報の記録を再開する再開工程と、を備える。
【００２９】
よって、ディジタル情報に乗算される窓関数がフェードインする時間の後にフェードアウトする時間が連続する時間軸特性を有すると共に、ディジタル情報の記録を中断するとき、当該中断乗算ディジタル情報を零情報とし、当該零情報を情報記録媒体に記録した後にディジタル情報の記録を中断し、更にディジタル情報の記録を再開するとき、当該再開するタイミングを含む窓関数に対応する乗算ディジタル情報を零情報とし、当該零情報を情報記録媒体に記録した後にディジタル情報の記録を再開するので、中断直前又は再開直後におけるディジタル情報の記録強度の変化が窓関数のフェードアウト及びフェードインと同様の変化となることとなり、ディジタル情報の記録の中断／再開時において簡易な処理でフェードアウト及びフェードインさせることができると共に、ディジタル情報の記録強度が中断／再開時の前後で不連続に大幅に変化することに起因する中断前後に渡る連続再生時の雑音発生を防止することができる。
【００３０】
上記の課題を解決するために、請求項１１に記載の発明は、外部から入力されるディジタル情報を光ディスク等の情報記録媒体に記録する情報記録方法において、フェードインする時間の後にフェードアウトする時間が連続する時間軸特性を夫々に有する複数の窓関数であって、相隣接する当該窓関数間で時間軸上の重なりを有する複数の窓関数を前記ディジタル情報に夫々乗算し、複数の乗算ディジタル情報を夫々生成する乗算工程と、夫々の前記窓関数に対応する複数の前記乗算ディジタル情報を前記情報記録媒体に記録する記録工程と、前記ディジタル情報の当該情報記録媒体への記録を中断するとき、当該中断するタイミングを含む前記ディジタル情報を零情報に置換し、当該置換された零情報を前記中断するタイミングを含む前記乗算ディジタル情報に代えて前記情報記録媒体に記録した後に前記ディジタル情報の記録を中断する中断工程と、中断後に前記ディジタル情報の当該情報記録媒体への記録を再開するとき、当該再開するタイミングを含む前記ディジタル情報を零情報に置換し、当該置換された零情報を前記再開するタイミングを含む前記乗算ディジタル情報に代えて前記情報記録媒体に記録した後に前記再開するタイミングより後に記録すべき前記ディジタル情報の記録を再開する再開工程と、を備える。
【００３１】
よって、ディジタル情報に乗算される窓関数がフェードインする時間の後にフェードアウトする時間が連続する時間軸特性を有すると共に、ディジタル情報の記録を中断するとき、中断するタイミングを含むディジタル情報を零情報に置換し、当該置換された零情報を中断するタイミングを含む乗算ディジタル情報に代えて情報記録媒体に記録した後にディジタル情報の記録を中断し、更にディジタル情報の記録を再開するとき、再開するタイミングを含むディジタル情報を零情報に置換し、当該置換された零情報を再開するタイミングを含む乗算ディジタル情報に代えて情報記録媒体に記録した後に再開するタイミングより後に記録すべきディジタル情報の記録を再開するので、中断直前又は再開直後におけるディジタル情報の記録強度の変化が窓関数のフェードアウト及びフェードインと同様の変化となることとなり、ディジタル情報の記録の中断／再開時において簡易な処理でフェードアウト及びフェードインさせることができると共に、ディジタル情報の記録強度が中断／再開時の前後で不連続に大幅に変化することに起因する中断前後に渡る連続再生時の雑音発生を防止することができる。
【００３２】
上記の課題を解決するために、請求項１２に記載の発明は、請求項７から１０のいずれか一項に記載の情報記録方法において、複数の前記窓関数は、時間軸上において夫々の前記窓関数に対応する時間の半分の時間づつ相互に重なりを有するように構成される。
【００３３】
よって、元のディジタル情報に忠実な乗算ディジタル情報を生成して記録することができる。
【００３４】
上記の課題を解決するために、請求項１３に記載の発明は、請求項７から１２のいずれか一項に記載の情報記録方法において、前記ディジタル情報はオーディオ情報であるように構成される。
【００３５】
よって、オーディオ情報の記録終了時、記録開始時又は記録中断／再開時における聴感上の雑音の発生を抑制することができる。
【００３６】
上記の課題を解決するために、請求項１４に記載の発明は、請求項１３に記載の情報記録方法において、前記窓関数は、ＭＤＣＴ符号化方式における歪み除去のための窓関数であるように構成される。
【００３７】
よって、ＭＤＣＴ符号化方式を用いてオーディオ情報を記録する際における記録終了時又は記録開始時或いは記録中断／再開時において、簡易な処理でフェードアウト又はフェードインさせることができると共に再生時における聴感上の雑音の発生を抑制することができる。
【００３８】
【発明の実施の形態】
次に、本発明に好適な実施の形態について、図面に基づいて説明する。なお、以下に説明する各実施の形態は、記録すべきディジタル情報としてのオーディオ情報及びビデオ（画像）情報を光ディスクに記録すると共に、当該光ディスクに記録されている各情報を再生する情報記録再生装置における当該オーディオ情報の記録に対して本発明を適用した場合の実施の形態である。
（Ｉ）第１実施形態
始めに、本発明に係る第１実施形態について、図１乃至図８を用いて説明する。
【００３９】
先ず、第１実施形態に係る情報記録再生装置の構成及び概要動作について、図１乃至図３を用いて説明する。
【００４０】
図１に示すように、第１実施形態に係る情報記録再生装置１は、情報記録媒体としての光ディスク２を回転駆動するスビンドルモータ３と、光ディスク２に対して後述する記録用データＤWTを光学的に記録すると共に当該光ディスク２から後述する検出データＤRDを検出する記録手段としてのピックアップ４と、スピンドルモータ３とピックアップ４をサーボ制御するためのサーボ回路５と、光ディスク２に記録すべき上記記録用データＤWTを生成するための記録系６と、光ディスク２から検出された上記検出データＤRDに対して再生処理を施し、後述するビデオ信号ＳVO及びオーディオ信号ＳAOを外部に出力する再生系７と、情報記録再生装置１全体を制御する中央制御回路８と、使用者が中央制御回路８に対して後述する記録中断／再開等を含む所望の指示をするための操作部９と、表示部１０と、により構成されている。
【００４１】
また、記録系６は、Ａ／Ｄコンバータ１１及び１２と、オーディオ圧縮回路１３と、ビデオ圧縮回路１４と、マルチプレックス回路１５と、記録バッファメモリ１６と、エンコーダ１７と、記録回路１８と、により構成されている。
【００４２】
更に、再生系７は、Ｄ／Ａコンバータ３９及び４０と、ビデオ伸張回路４１と、オーディオ伸張回路４２と、デマルチプレックス回路４３と、再生バッファメモリ４４と、デコーダ４５と、再生回路４６と、により構成されている．
更にまた、中央制御回路８は、予め設定されているシステムプログラム等を記録するメモリ８ａを有し、上記システムプログラムを実行することにより情報記録再生装置１全体の動作を制御するマイクロプロセッサ（ＣＰＵ）により構成されている。
【００４３】
次に、記録系６の概要動作を説明する。
【００４４】
先ず、Ａ／Ｄコンバータ１１は、外部から供給されるアナログ信号であるオーディオ信号ＳAIをディジタル信号であるオーディオデータＤAIに変換し、オーディオ圧縮回路１３へ出力する。
【００４５】
そして、オーディオ圧縮回路１３は、中央制御回路８からの制御信号Ｃ1により指定されるＭＤＣＴ圧縮方式に基づいてオーディオデータＤAIを圧縮し、圧縮オーディオデータＤＰAIを生成してマルチプレックス回路１５に出力する。
【００４６】
これらと並行して、Ａ／Ｄコンバータ１２は、外部から供給されるアナログ信号であるビデオ信号ＳVIをディジタル信号であるビデオデータＤVIに変換し、ビデオ圧縮回路１４へ出力する。
【００４７】
そして、ビデオ圧縮回路１４は、中央制御回路８からの制御信号Ｃ1により指定されるテータ圧縮方式（例えば、ＭＰＥＧ（Moving  Picture  Experts  Group）方式）に基づいてビデオデータＤVIを圧縮し、圧縮ビデオデータＤＰVIを生成してマルチプレックス回路１５に出力する。
【００４８】
そして、マルチプレックス回路１５は、操作部９において使用者等により記録開始の指示が為されると、中央制御回路８からの制御信号Ｃ2により指定されるタイミングに従って、記録バッファメモリ１６と協動しつつ圧縮オーディオデータＤＰAIと圧縮ビデオデータＤＰVIを時分割多重し、時分割多重の施された圧縮データＤＰWを生成してエンコーダ１７へ出力する。
【００４９】
このとき、記録バッファメモリ１６は、圧縮オーディオデータＤＰAIと圧縮ビデオデータＤＰVIを一時的に格納しつつマルチプレックス回路１５と協動して圧縮データＤＰWを生成する。
【００５０】
これと並行して記録バッファメモリ１６は、マルチプレックス回路１５において生成される圧縮データＤＰWのデータ量（又はデータ長）を示すデータ量信号Ｃmwを中央制御回路８に対して逐一転送し、これにより、中央制御回路８は、データ量信号Ｃmwに基づいて圧縮データＤＰWのデータ量を文字等により表示部１０に表示する。
【００５１】
次に、エンコーダ１７は、中央制御回路８から供給される制御信号Ｃ3に基づいて、圧縮データＤＰWを符号化し、エンコードデータＤWEを生成して記録回路１８へ出力する。
【００５２】
そして、記録回路１８は、中央制御回路８から供給される制御信号Ｃ4に基づいて、エンコードデータＤWEに対して予め設定された増幅等の処理を施し、上記記録用データＤWTを生成してピックアップ４へ出力する。
【００５３】
これにより、ピックアップ４に内蔵されている半導体レーザ等の光源が記録用データＤWTに対応して駆動される。そして、記録用データＤWTに対応する強度を有する記録用の光ビームが射出され、これにより、記録用データＤWTが光学的に光ディスク２に記録される。
【００５４】
次に、再生系７の概要動作を説明する。
【００５５】
先ず、再生回路４６は、ピックアップ４により光ディスク２から検出された検出データ（ＲＦ（Radio  Frequency）信号）ＤRDに対して中央制御回路８から供給される制御信号Ｃ5に基づいた波形整形処理等を施し、二値の再生テータＤPPを生成してデコーダ４５に出力する。
【００５６】
これにより、デコーダ４５は、中央制御回路８から供給される制御信号Ｃ6に基づいて、上記エンコーダ１７のエンコード方式に対応する予め設定されたデコード方式により再生データＤＰPをデコード（復号）し、デコードデータＤＰRを生成して再生バッファメモリ４４へ出力する。
【００５７】
次に、再生バッファメモリ４４は、上記デコードデータＤＰRを一時的に格納すると共に、当該格納したデコードデータＤＰRを予め設定されているタイミングに同期したテコードデータＤＰAVに配列し直してデマルチプレックス回路４３へ出力する。
【００５８】
これと並行して再生バッファメモリ４４は、入力されるデコードデータＤＰRデータ量（又はデータ長）を示すデータ量信号Ｃmrを中央制御回路８に対して逐一転送し、これにより、中央制御回路８は、データ量信号Ｃmrに基づいてデコードデータＤＰRのデータ量を文字等により表示部１０に表示する。
【００５９】
これらにより、デマルチプレックス回路４３は、中央制御回路８から供給される制御信号Ｃ7に基づいて、デコードデータＤＰAV内に時分割多重されている圧縮ビデオデータＤＰVOと圧縮オーディオデータＤＰAOとを分離し、圧縮ビデオデータＤＰVOをビデオ伸張回路４１に出力すると共に、圧縮オーディオデータＤＰAOをオーディオ伸張回路４２に出力する。ここで、圧縮オーディオデータＤＰAOは記録時においてＦＦＴ（First  Fourier  Transform；高速フーリエ変換）処理された状態の周波数領域のデータである。
【００６０】
そして、ビデオ伸張回路４１は、中央制御回路８から供給される制御信号Ｃ7に基づいて、当該圧縮ビデオデータＤＰVOに対して上記ビデオ圧縮回路１４の圧縮方式に対応する所定の伸長処理を施すことにより、伸張されたビデオデータＤVOを生成してＤ／Ａコンバータ３９に出力する。
【００６１】
これにより、Ｄ／Ａコンバータ３９は、当該ビデオデータＤVOをデジタル／アナログ変換することにより、アナログ信号であるビデオ信号ＳVOを生成して外部に出力する。
【００６２】
一方、これと並行して、オーディオ伸張回路４２は、中央制御回路８から供給される制御信号Ｃ7に基づいて、圧縮オーディオデータＤＰAOに対して上記オーディオ圧縮回路１３の圧縮方式に対応する所定の伸張処理を施すことにより、伸張されたオーディオデータＤAOを生成してＤ／Ａコンバータ４０に出力する。
【００６３】
これにより、Ｄ／Ａコンバータ４０は、当該オーディオデータＤAOをテジタル／アナログ変換することにより、アナログ信号であるオーディオ信号ＳAOを生成して外部に出力する。
【００６４】
このとき、上述した記録動作又は再生動作を実行するに当たり、中央制御回路８は、サーボ回路５及び記録系６並びに再生系７の動作を制御するための上記各制御信号Ｃ1乃至Ｃ7を生成して各構成部材に出力すると共に、使用者等からの指示を操作部９を介して受信し、更に、情報記録再生装置１の現在の動作内容、記録情報に関連する各種情報等或いは使用者等に対して情報記録再生装置１の操作方法を指示するためのメニュー表示等を表示部１０に表示する。
【００６５】
更に、中央制御回路８は、光ビームＢの焦点位置を光ディスク１の情報記録面上に正確に位置させるためのいわゆるトラッキングサーボ制御及びフォーカスサーボ制御並びにスピンドルモータ３の回転数等を制御するためのスピンドルサーボ制御をサーボ回路５に実行させるべく、制御信号ＣCSを生成して当該サーボ回路５へ出力する。
【００６６】
そして、サーボ回路５は、当該制御信号ＣCSに基づいて上記トラッキングサーボ制御及びフォーカスサーボ制御を行うためのサーボ制御信号ＣPCを生成してピックアップ４内の図示しないアクチュエータ（すなわち、光ビームＢを光ディスク２に集光させるための対物レンズを駆動するアクチュエータ）に出力すると共に、スピンドルサーボ制御を行うためのサーボ制御信号ＣSCを生成してスピンドルモータ３へ出力する。
【００６７】
次に、記録系６における本発明に係るオーディオ圧縮回路１３の細部構成について、図２を用いて説明する。なお、図２（ａ）はオーディオ圧縮回路１３の細部構成を示すブロック図であり、図２（ｂ）は後述する解析フィルタ部の細部構成を示すブロック図である。
【００６８】
図２（ａ）に示すように、オーディオ圧縮回路１３は、本発明に係る解析フィルタ部２０と、量子化部２１と、パック部２２と、ビット配分部２３と、により構成されている。
【００６９】
次に、動作を説明する。
【００７０】
先ず、解析フィルタ部２０は、中央制御回路８からの制御信号Ｃ1に基づいてオーディオデータＤAIに対してフィルタ処理を施し、フィルタデータＤFを生成して量子化部２１へ出力すると共に、ビット配分部２３を制御するための制御信号ＣBを生成して当該ビット配分部２３へ出力する。
【００７１】
ここで、解析フィルタ部２０において実行されるフィルタ処理とは、入力されるオーディオデータＤAIに対して予め設定されたフェードインする時間軸特性及びフェードアウトする時間軸特性を有する窓関数を乗算し、更に、後述するように光ディスク２に対する情報記録を中断する場合又は再開する場合等においては当該中断タイミング又は再開タイミング等を含むデータを零データに置換し、次に生成されたデータに対してＦＦＴ処理を施す処理を言う。このとき、当該窓関数は上記ＦＦＴ処理及び量子化部２１における量子化処理において発生するブロック歪みの発生を防止するために乗算されるものである。
【００７２】
ここで、当該ブロック歪みとは、上記オーディオ信号ＳAIをブロック単位で圧縮処理した後に光ディスク２に記録すると共にこれをブロック単位で伸長してオーディオ信号ＳAOとして再生する場合に、当該ブロック化されたオーディオ信号ＳAIにおける隣接するブロック同士の繋ぎ目が再生時において不連続となることにより発生する歪みである。
【００７３】
次に、ビット配分部２３は、制御信号ＣBに基づいて量子化部２１における量子化の際のビット配分（ビットアロケーション）を設定し、当該設定内容を示す制御信号ＣBAを生成して量子化部２１へ出力する。
【００７４】
そして、量子化部２１は、制御信号ＣBAにより示されるビット配分内容に基づいてフィルタ信号ＤFに含まれているオーディオ情報を量子化すると共に圧縮し、量子化オーディオデータＤQを生成してパック部２２に出力する。
【００７５】
最後に、パック部２２は、量子化オーディオデータＤQを予め設定されているデータ量毎にパック化し、当該パック毎に分割されている上記圧縮オーディオデータＤＰAIを生成して上記マルチプレックス回路１５へ出力する。
【００７６】
次に、解析フィルタ部２０の細部構成について、図２（ｂ）を用いて説明する。
【００７７】
図２（ｂ）に示すように、解析フィルタ部２０は、バッファメモリ２５及び２７と、乗算手段としての乗算部２６と、置換部２８と、終了手段、開始手段、中断手段及び再開手段としてのＣＰＵ３０と、ＦＦＴ部３１と、により構成されている。
【００７８】
次に、解析フィルタ部２０の細部動作について、図２（ｂ）及び図３を用いて説明する。なお、図３は解析フィルタ部２０の処理を説明するためのタイミングチャートであり、当該図３において、各信号における縦軸は当該各信号のレベルを示している。
【００７９】
先ず、バッファメモリ２５は、ＣＰＵ３０からの制御信号ＣBM1に基づいて、入力されてくるオーディオデータＤAIを予め設定されているデータ量毎に纏めて一時的に記憶し、その記憶した単位毎にメモリデータＤB1として乗算部２６へ出力する。
【００８０】
次に、乗算部２６は、入力されたメモリデータＤB1に対して、図３に示すような上記窓関数（図３上から二段目参照）を夫々乗算し、当該乗算した窓関数毎に乗算データＤWWを生成してバッファメモリ２７へ出力する。
【００８１】
ここで、乗算部２６においてメモリデータＤB1に乗算される窓関数の夫々は、そのレベルが零レベルからフェードインする時間ＴINと零レベルへフェードアウトする時間ＴOUTとが連続する時間的に対称な波形を有しており、更に、時間的に隣接する窓関数相互間において半周期づつ時間的に重なった波形を有している。
【００８２】
この乗算部２６の動作により、乗算データＤWWとしては図３に示すように各窓関数と同様の波形を有するデータが夫々半周期づつ重なって出力されることとなる。そして、窓関数毎の当該乗算処理により、上述したブロック歪みの発生が防止される。
【００８３】
次に、バッファメモリ２７は、ＣＰＵ３０からの制御信号ＣBM2に基づいて、入力されてくる乗算データＤWWを一時的に記憶し、バッファメモリ２５に記憶された単位のメモリデータＤB1の全てについて窓関数の乗算処理が終了した時点で、当該終了した乗算データＤWWをメモリデータＤB2として置換部２８へ出力する。
【００８４】
これにより、置換部２８は、ＣＰＵ３０からの制御信号ＣCに基づいて、後述するように光ディスク２への情報記録を中断する場合又は再開する場合においては、夫々中断するタイミング又は再開するタイミングを含む窓関数を乗算して得られている上記メモリデータＤB2を零データに置換し、置換データＤCとしてＦＦＴ部３１へ出力する。このとき、中断するタイミング又は再開するタイミングを含む窓関数を乗算して得られているメモリデータＤB2以外のメモリデータＤB2は、何等処理が施されることなくそのまま置換部２９を介して置換データＤCとしてＦＦＴ部３１へ出力される。
【００８５】
そして、ＦＦＴ部３１は、当該置換データＤCに対してＦＦＴ処理を施し、周波数領域のデータに変換し上記フィルタデータＤFとして量子化部２１へ出力する。
【００８６】
以上説明した処理において、ＣＰＵ３０は上記制御信号Ｃ1に基づいて、夫々の構成部材における処理が実行されるように上記制御信号ＣBM1、ＣBM2及びＣCを生成して各構成部材に出力する。このとき、上記置換部２８における置換処理に供される中断タイミング等を示すデータは、上記制御信号Ｃ1としてＣＰＵ３０に与えられる。
【００８７】
次に、再生系７におけるオーディオ伸長回路２２の細部構成及び動作について、図４を用いて説明する。なお、図４（ａ）は当該オーディオ伸長回路２２の細部構成を示すブロック図であり、図４（ｂ）はオーディオ伸長回路２２の動作を示す波形図である。
【００８８】
図４（ａ）に示すように、オーディオ伸長回路２２は、逆ＦＦＴ部３５と、乗算部３６と、バッファメモリ３７と、加算器３８と、逆量子化部４７と、により構成されている。
【００８９】
次に、動作を説明する。
【００９０】
先ず、逆量子化部４７は、周波数領域のデータとして入力されてくる圧縮オーディオデータＤＰAOに対して上記量子化部２１における圧縮処理に対応する伸長処理を施し、伸長データＤＰEXを生成して逆ＦＦＴ部３５へ出力する。
【００９１】
次に、逆ＦＦＴ部３５は、当該伸長データＤＰEX対して逆ＦＦＴ変換を施し、逆変換データＤIFを生成して乗算部３６へ出力する。
【００９２】
そして、乗算部３６は、上述した乗算部２６と同様に時間軸領域のデータである逆変換データＤIFに対して上述した窓関数を夫々乗算し、乗算データＤA（図４（ｂ）上段に示す波形を有している。）を生成してバッファメモリ３７及び加算器３８の一方の端子へ出力する。
【００９３】
これにより、バッファメモリ３７は、入力されてくる乗算データＤAを一時的に記憶し、上述した窓関数の半周期に相当する時間が経過した後に加算器３８の他の端子へ出力する。
【００９４】
そして、加算器３８は、乗算部３６から直接入力されてくる乗算データＤAとバッファメモリ３７により遅延された乗算データＤAとを時間軸上で加算し、図４（ｂ）下段に示す上記オーディオデータＤAOを生成してＤ／Ａコンバータ４０へ出力する。
【００９５】
ここで、上述したバッファメモリ３７における遅延処理並びに加算器３８における加算処理により、各窓関数毎に時間的に分離していた乗算データＤAが一様なレベルを有するオーディオデータＤAO（記録系６におけるオーディオデータＤAIに対応している。）に変換されるのである。
【００９６】
次に、本発明に係る解析フィルタ部２０における処理について、図５乃至図８を用いて説明する。なお、図５は情報記録終了時及び情報記録開始時における処理を示すフローチャートであり、図６は当該情報記録終了時及び情報記録開始時におけるデータ態様を示すタイミングチャートであり、図７は情報記録中断／再開時における処理を示すフローチャートであり、図８は当該情報記録中断／再開時におけるデータ態様を示すタイミングチャートである。また、図５及び図７に示される各フローチャートにおいて、同様の処理については同様のステップ番号を付して細部の説明は省略する。
【００９７】
先ず、情報記録終了時の処理について、図５（ａ）及び図６（ａ）を用いて説明する。
【００９８】
情報記録を終了する場合に、解析フィルタ部２０においては、最初に、上述した乗算部２６における窓関数の乗算処理をオーディオデータＤAIに対して行う（ステップＳ１）。
【００９９】
次に、情報記録の終了を示す旨の操作が操作部９において実行されることで制御信号Ｃ1によりＣＰＵ３０がその旨を認識したか否かが確認され（ステップＳ２）、記録終了が指示されていないときは（ステップＳ２；ＮＯ）、バッファメモリ２７に蓄積されているメモリデータＤB2に対して何等処理を施すことなく置換部２８を通過させ、更にＦＦＴ部３１において上述したＦＦＴ処理を行う（ステップＳ５）。
【０１００】
そして、全ての記録すべきオーディオデータＤAIについてフィルタ処理が終了したか否かが確認され（ステップＳ６）、終了しているときは（ステップＳ６；ＹＥＳ）そのまま処理を終了し、終了していないときは（ステップＳ６；ＮＯ）、更に次のオーディオデータＤAIについてフィルタ処理を行うべくステップＳ１に戻る。
【０１０１】
一方、ステップＳ２の判定において、記録を終了するときには（ステップＳ２；ＹＥＳ）、生成されている乗算データＤWW（図６（ａ）上から三段目参照）のうち当該終了タイミングを含む窓関数を乗じて得られた乗算データＤWWを零データに置換して図６（ａ）下から二段目に示す置換データＤCを生成し（ステップＳ３）、以後、当該置換データＤCに対して上述したステップＳ５及びＳ６の処理を行う。
【０１０２】
この結果、記録終了時における記録用データＤWTのレベルは、時間的に終了タイミングの直前に生成された置換データＤCのフェードアウト特性と同様のフェードアウト特性となるので、結果として、当該記録用データＤWTが記録されるときの信号強度の変化が置換データＤCと同様のフェードアウト特性によりそのレベルが低減した後にその記録が中断することとなる。
【０１０３】
これにより、記録した記録用データＤWTの再生時において加算器３８による加算処理後に得られる上記オーディオデータＤAOの再生波形は、図６（ａ）最下段に示すように置換データＤCのフェードアウト特性と同様のフェードアウト特性を呈して再生が終了することとなる。
【０１０４】
次に、情報記録開始時の処理について、図５（ｂ）及び図６（ｂ）を用いて説明する。
【０１０５】
情報記録を開始する場合に、解析フィルタ部２０においては、最初に情報記録の開始を示す旨の操作が操作部９において実行されることで制御信号Ｃ1によりＣＰＵ３０がその旨を認識したか否かが確認され（ステップＳ７）、記録開始が指示されていないときは（ステップＳ７；ＮＯ）指示されるまでそのまま待機し、指示されたときは（ステップＳ７；ＹＥＳ）、次に、乗算部２６における窓関数の乗算処理を入力されてくるオーディオデータＤAIに対して行う（ステップＳ１）。
【０１０６】
そして、夫々生成されている乗算データＤWW（図６（ｂ）上から三段目参照）のうち記録開始タイミングを含む窓関数を乗じて得られた乗算データＤWWを零データに置換して図６（ｂ）下から二段目に示す置換データＤCを生成し（ステップＳ３）、以後、当該置換データＤCに対して上述したステップＳ５及びＳ６の処理（図５（ａ）参照）を行う。
【０１０７】
このとき、ステップＳ６においては、全てのオーディオデータＤAIに対して処理が終了していないときは（ステップＳ６；ＮＯ）、ステップＳ１に戻って次に入力されるオーディオデータＤAIに対してステップＳ１、Ｓ５及びＳ６の処理を行う。この場合には、開始タイミング以降のオーディオデータＤAIに対して処理を行うので、置換処理（ステップＳ３）は常にスキップされることとなる。
【０１０８】
この結果、記録開始時における記録用データＤWTのレベルは、時間的に開始タイミングの直後に生成された置換データＤCのフェードイン特性と同様のフェードイン特性となるので、結果として、当該記録用データＤWTが記録されるときの信号強度の変化が置換データＤCと同様のフェードイン特性によりそのレベルが増大した後にその記録が開始されることとなる。
【０１０９】
これにより、記録した記録用データＤWTの再生時において加算器３８による加算処理後に得られる上記オーディオデータＤAOの再生波形は、図６（ｂ）最下段に示すように置換データＤCのフェードイン特性と同様のフェードイン特性を呈して再生が開始されることとなる。
【０１１０】
最後に、それまで継続されていた情報記録を一時中断し、その後、当該中断した位置から情報記録を再開する場合の処理について、図７及び図８を用いて説明する。
【０１１１】
先ず、情報記録を継続中においては、上述した記録処理としての乗算部２６における窓関数乗算処理が実行されている（ステップＳ１）。
【０１１２】
そして、当該実行中において、情報記録の中断を示す旨の操作が操作部９において実行されることで制御信号Ｃ1によりＣＰＵ３０がその旨を認識したか否かが確認され（ステップＳ１０）、記録中断が指示されていないときは（ステップＳ１０；ＮＯ）、上述した通常のフィルタ処理を行う（ステップＳ５及びＳ６）。
【０１１３】
一方、ステップＳ１０の判定において、記録中断が指示されたときは（ステップＳ１０；ＹＥＳ）、次に、当該指示された中断タイミングにおいてオーディオデータＤAIの入力取り込みを停止し（ステップＳ１１）、更に生成されている乗算データＤWW（図８上から三段目参照）のうち当該中断タイミングを含む窓関数を乗じて得られた乗算データＤWWを零データに置換して図８下から二段目に示す中断時の置換データＤCを生成し（ステップＳ３）、以後、当該置換データＤCに対して上述したＦＦＴ処理等を行って処理を中断する。
【０１１４】
この処理により、記録中断直前の記録用データＤWTのレベルは、時間的に中断タイミングの直前に生成された置換データＤCのフェードアウト特性と同様のフェードアウト特性となるので、結果として、光ディスク２に記録用データＤWTが記録されるときの信号強度の変化が置換データＤCと同様のフェードアウト特性によりそのレベルが低減した後にその記録が中断することとなる。これにより、記録した記録用データＤWTの再生時において加算器３８による加算処理後に得られる上記オーディオデータＤAOの再生波形は、図８最下段に示すように置換データＤCのフェードアウト特性と同様のフェードアウト特性を呈して再生が中断することとなる。
【０１１５】
次に、当該記録中断中においては、常時、情報記録の再開を示す旨の操作が操作部９において実行されることで制御信号Ｃ1によりＣＰＵ３０がその旨を認識したか否かが確認される（ステップＳ１２）。
【０１１６】
そして、記録再開が指示されていないときは（ステップＳ１２；ＮＯ）中断のまま待機し、一方、記録開始が指示されたときは（ステップＳ１２；ＹＥＳ）、次に、入力されてくるオーディオデータＤAIに対して窓関数を夫々乗算することにより生成されている乗算データＤWW（図８上から三段目参照）のうち記録再開タイミングを含む窓関数を乗じて得られた乗算データＤWWを零データに置換して図８下から二段目に示す置換データＤCを生成し（ステップＳ３）、以後、当該置換データＤCに対して上述したステップＳ５及びＳ６の処理を行う。
【０１１７】
この結果、記録再開直後の記録用データＤWTのレベルは、時間的に再開タイミングの直後に生成された置換データＤCのフェードイン特性と同様のフェードイン特性となるので、結果として、光ディスク２に記録用データＤWTが記録されるときの信号強度の変化が置換データＤCと同様のフェードイン特性によりそのレベルが増大した後にその記録が再開することとなる。
【０１１８】
これにより、記録した記録用データＤWTの再生時において加算器３８による加算処理後に得られる上記オーディオデータＤAOの再生波形は、図８最下段に示すように置換データＤCのフェードイン特性と同様のフェードイン特性を呈して再生が再開されることとなる。
【０１１９】
以上説明したように、第１実施形態の解析フィルタ部２０の処理によれば、情報の記録を終了するとき、当該終了するタイミングを含む窓関数に対応する乗算データＤWWを零データとし、当該零データを終了するタイミングを含む乗算データＤWWに代えて光ディスク２に記録した後に記録を終了するので、終了直前の記録データＤWTの記録強度の変化が窓関数のレベルのフェードアウトと同様の変化となり、記録終了時において簡易な処理でフェードアウトさせることができると共に、記録強度が記録終了時において急激に低減することによる再生時の聴感上の雑音発生を防止することができる。
【０１２０】
また、情報の記録を開始するとき、当該開始するタイミングを含む窓関数に対応する乗算データＤWWを零データとし、当該零データを開始するタイミングを含む乗算データＤWWに代えて光ディスク２に記録した後に記録を開始するので、開始直後の記録データＤWTの記録強度の変化が窓関数のレベルのフェードインと同様の変化となり、記録開始時において簡易な処理でフェードインさせることができると共に、記録強度が記録終了時において急激に増大することによる再生時の聴感上の雑音発生を防止することができる。
【０１２１】
更に、情報の記録を中断するとき、当該中断するタイミングを含む窓関数に対応する乗算データＤWWを零データとし、当該零データを中断するタイミングを含む乗算データＤWWに代えて光ディスク２に記録した後に記録を中断し、更に情報の記録を再開するとき、当該再開するタイミングを含む窓関数に対応する乗算データＤWWを零データとし、当該零データを再開するタイミングを含む乗算データＤWWに代えて光ディスク２に記録した後に記録を再開するので、中断直前又は再開直後における記録データＤWTの記録強度の変化が窓関数のレベルのフェードアウト又はフェードインと同様の変化となることとなり、記録の中断／再開時において簡易な処理でフェードアウト及びフェードインさせることができると共に、記録強度が中断／再開時の前後で不連続に大幅に変化することに起因する中断前後に渡る連続再生時の聴感上の雑音発生を防止することができる。
【０１２２】
更にまた、複数の窓関数が時間軸上において半周期づつ相互に時間軸上の重なりを有するように構成されるので、元のオーディオデータＤAIに忠実な記録データＤWTを生成して記録することができる。
【０１２３】
また、複数の窓関数がＭＤＣＴ符号化方式におけるブロック歪み除去のための窓関数であるので、ＭＤＣＴ符号化方式を用いてオーディオデータＤAIを記録する際における記録終了時又は記録開始時或いは記録中断／再開時において、簡易な処理でフェードアウト又はフェードインさせることができると共に再生時における聴感上の雑音の発生を抑制することができる。
【０１２４】
ここで、上記した第１実施形態の情報記録再生装置１の動作によれば、オーディオデータＤAIの記録時における時間進行は、記録中断と共に停止され記録再開と共に再開されることとなるので、ビデオデータＤVIとオーディオデータＤAIとを相互に関連させつつ光ディスク２に記録する場合に、記録中断によりビデオデータＤVIの記録が当該中断時に瞬時に停止したにも拘らずオーディオデータＤAIを従来の如くフェードアウトさせることに起因するビデオデータＤVIとオーディオデータＤAIとの間における時間情報のずれ（すなわち、オーディオデータＤAIについてはフェードアウト中でもデータ上の時間が進行しているにも拘らずビデオデータＤVI上は時間進行が記録中断と共に停止することに起因して、記録の再開時にビデオデータＤVIとオーディオデータＤAIとの間に生じる各々のデータ上における時間情報のずれ）が生じることも防止できる。
（II）第２実施形態
次に、本発明に係る他の実施形態である第２実施形態について、図９を用いて説明する。なお、図９（ａ）は第２実施形態に係る解析フィルタ部の構成を示すブロック図であり、図９（ｂ）は第２実施形態に係る解析フィルタ部の動作を示すフローチャートである。ここで、上記第１実施形態の場合と同様の部材及び処理ついては、同様の部材番号及びステップ番号を付している。
【０１２５】
上述した第１実施形態では、解析フィルタ部２０においては、乗算処理→置換処理→加算処理→ＦＦＴ処理の順に処理を行ったが、第２実施形態では、その解析フィルタ部においては、異なった順番で処理を行う。
【０１２６】
ここで、第２実施形態においては、解析フィルタ部の構成及び動作以外の他の部材の構成及び動作については、第１実施形態の情報記録再生装置１と同様であるので、以下の説明では、解析フィルタ部以外の部分の説明は省略する。
【０１２７】
図９に示すように、第２実施形態の解析フィルタ部２０’において記録を終了する際には、先ず、バッファメモリ２５、乗算部２６及びバッファメモリ２７により第１実施形態と同様の乗算処理及びバッファメモリ２７への蓄積処理を行う（ステップＳ１）。
【０１２８】
次に、バッファメモリ２７に蓄積されている各窓関数毎のメモリデータＤB2の夫々に対してＦＦＴ部３１においてＦＦＴ処理を施す（ステップＳ５）。
【０１２９】
そして、ＦＦＴ処理後の各窓関数毎の周波数領域データＤCFに対して上記記録終了タイミング（ステップＳ２；ＹＥＳ）における零データへの置換処理を置換部２８において行い、その後、各窓関数毎の（周波数領域のデータである）置換データをフィルタデータＤFとして生成する（ステップＳ３）。
【０１３０】
このフィルタ処理により生成されたフィルタデータＤFを用いても、記録後再生時においてオーディオデータＤAOの再生強度は上述したように（図６（ａ）最下段参照）窓関数のレベルのフェードアウト特性と同様のフェードアウト特性となる。
【０１３１】
また、記録開始時又は記録中断／再開時において、上述した記録終了時と同様に、乗算処理→ＦＦＴ処理→置換処理→加算処理の順にフィルタ処理を行っても第１実施形態における記録開始時又は記録中断／再開時と同様のオーディオデータＤAOの再生強度の変化（図６（ｂ）最下段及び図８最下段参照）が得られる。
【０１３２】
以上説明したように、第２実施形態の解析フィルタ部２０’の動作によっても、第１実施形態の解析フィルタ部２０の動作と同様の効果を得ることができる。
（III）第３実施形態
次に、本発明に係る他の実施形態である第３実施形態について、図１０を用いて説明する。なお、図１０（ａ）は第３実施形態に係る解析フィルタ部の構成を示すブロック図であり、図１０（ｂ）は第３実施形態に係る解析フィルタ部の動作を示すフローチャートである。ここで、上記第１実施形態の場合と同様の部材及び処理ついては、同様の部材番号及びステップ番号を付している。
【０１３３】
本第３実施形態においては、その解析フィルタ部において、上記第１実施形態又は第２実施形態と異なった形態のフィルタ処理を行う。
【０１３４】
ここで、第３実施形態においては、解析フィルタ部の構成及び動作以外の他の部材の構成及び動作については、第１実施形態の情報記録再生装置１と同様であるので、以下の説明では、解析フィルタ部以外の部分の説明は省略する。
【０１３５】
図１０（ａ）に示すように、第３実施形態に係る解析フィルタ部２０”は、第１実施形態の解析フィルタ部２０と同様のバッファメモリ２５及び２７、乗算部２６、置換部２８並びにＦＦＴ部３１と、ＣＰＵ３２と、スイッチ３３及び３４と、により構成されている。
【０１３６】
次に、記録終了時の解析フィルタ部２０”の動作について、図１０（ａ）及び（ｂ）を用いて説明する。
【０１３７】
第３実施形態において、情報記録継続中（図１０（ｂ）ステップＳ２；ＮＯ）は、スイッチ３３はＣＰＵ３２からの制御信号ＣSWに基づきバッファメモリ２５側に切り換えられており、一方、スイッチ３４は当該制御信号ＣSWに基づきＦＦＴ部３１側に切り換えられている。
【０１３８】
そして、当該情報記録継続中に入力されてくるオーディオデータＤAIは、スイッチ３３からスイッチ信号ＤSW2として出力され、バッファメモリ２５へ入力される。この後は、ＣＰＵ３２の制御に基づくバッファメモリ２５及び２７並びに乗算部２６の処理によりオーディオデータＤAIに対して窓関数乗算処理が施される（図１０（ｂ）ステップＳ１）。
【０１３９】
そして、当該窓関数乗算処理により生成されたバッファデータＤB2に対してＦＦＴ部３１によるＦＦＴ処理が施されて周波数領域データＤFFが生成され（図１０（ｂ）ステップＳ５）、ＦＦＴ部３１側に切り換えられているスイッチ３４を介して上記フィルタデータＤFとして量子化部２１へ出力される。
【０１４０】
一方、情報の記録終了時には、先ず、情報記録の終了を示す旨の操作が操作部９において実行されることで制御信号Ｃ1によりＣＰＵ３２がその旨を認識したか否かが確認され（ステップＳ２）、記録終了が指示されていないときは（ステップＳ２；ＮＯ）上述した情報記録継続中の処理が実行される。
【０１４１】
他方、ステップＳ２の判定において、記録終了が指示されたときは（ステップＳ２；ＹＥＳ）、次に、入力されてくるオーディオデータＤAIのうち当該終了タイミングを含む窓関数に対応する時間に相当するオーディオデータＤAIのみを零データに置換する（ステップＳ１０）。このときには、スイッチ３３及び３４が制御信号ＣSWに基づいて置換部２８側へ切り換えられ、スイッチデータＤSW2として出力されるオーディオデータＤAI（上記終了タイミングを含む窓関数に対応する時間に相当するオーディオデータＤAI）が置換部２８へ入力されることにより当該入力されたオーディオデータＤAIの零データへの置換が実行される。
【０１４２】
なお、スイッチ３３は、当該終了タイミングを含む窓関数に対応する時間に相当するオーディオデータＤAIを置換部２８へ入力させた後は再びバッファメモリ２５側に切り換えられ、引き続き入力されるオーディオデータＤAIをバッファメモリ２５へ出力する。更に、スイッチ３４は、当該終了タイミングを含む窓関数に対応する時間に相当する零データをフィルタデータＤFとして量子化部２１へ出力した後は再びＦＦＴ部３１側に切り換えられ、引き続き入力される周波数領域データＤFFを量子化部２１へ出力する。
【０１４３】
その後は、上述した第１又は第２実施形態において説明したステップＳ６の処理が実行され、全オーディオデータＤAIについて処理が終了しているときは（ステップＳ６；ＹＥＳ）、そのまま処理を終了し、処理が終了していないときは（ステップＳ６；ＮＯ）、次に、図１０（ｂ）ステップＳ１に戻って引き続き入力されてくるオーディオデータＤAIに対してステップＳ１、Ｓ５及びＳ６の処理を行う。
【０１４４】
以上説明したように、第３実施形態のフィルタ処理により生成されたフィルタデータＤFを用いても、記録後再生時におけるオーディオデータＤAOの再生強度は上述したように（図６（ａ）最下段参照）窓関数のレベルのフェードアウト特性と同様のフェードアウト特性となる。
【０１４５】
また、記録開始時又は記録中断／再開時においても、上述した記録終了時と同様に、記録開始時又は記録中断／再開時を含む窓関数に相当するオーディオデータＤAIを零データに置換すると共に、それ以外のタイミングに相当するオーディオデータＤAIに対して上記窓関数乗算処理及びＦＦＴ処理を実行してフィルタデータＤFを生成することにより、第１実施形態における記録開始時又は記録中断／再開時と同様のオーディオデータＤAOの再生強度の変化（図６（ｂ）最下段及び図８最下段参照）が得られる。
【０１４６】
以上のように、第３実施形態の解析フィルタ部２０”の動作によっても、第１実施形態の解析フィルタ部２０の動作と同様の効果を得ることができる。
【０１４７】
なお、上述の各実施形態においては、オーディオデータＤAIに対して本発明に係るフィルタ処理を実行する構成について説明したが、これ以外に、本発明は、各実施形態におけるビデオデータＤVIの記録終了時、記録開始時又は記録中断／再開時に対して適用することも可能である。
【０１４８】
更に、各実施形態においては、ＭＤＣＴ方式に対応する窓関数を用いた場合について説明したが、これ以外に、本発明は、フェードインする特性を有すると共にフェードアウトする特性を有する窓関数を用いてディジタル的に情報を処理する場合について広く適用することができる。
【０１４９】
【発明の効果】
以上説明したように、請求項１に記載の発明によれば、ディジタル情報に乗算される窓関数がフェードアウトする時間軸特性を有すると共に、ディジタル情報の記録を終了するとき、当該終了乗算ディジタル情報を零情報とし、当該零情報を当該終了乗算ディジタル情報に代えて情報記録媒体に記録した後にディジタル情報の記録を終了するので、記録終了直前のディジタル情報の記録強度の変化が窓関数のフェードアウトと同様の変化となり、ディジタル情報の記録終了時において簡易な処理でフェードアウトさせることができると共に、ディジタル情報の記録強度が記録終了時において急激に低減することによる再生時の雑音発生を防止することができる。
【０１５０】
従って、記録が終了され、更にその終了前後を含んで記録された情報を再生する場合に、不要な雑音が発生することを防止して情報を再生可能なように当該情報を記録することが、簡易な処理で可能となる。
【０１５１】
請求項２に記載の発明によれば、ディジタル情報に乗算される窓関数がフェードインする時間軸特性を有すると共に、ディジタル情報の記録を開始するとき、当該開始するタイミングを含む窓関数に対応する乗算ディジタル情報を零情報とし、当該零情報を情報記録媒体に記録した後にディジタル情報の記録を開始するので、開始直後のディジタル情報の記録強度の変化が窓関数のフェードインと同様の変化となり、ディジタル情報の記録開始時において簡易な処理でフェードインさせることができると共に、ディジタル情報の記録強度が記録開始時において急激に増大することによる再生時の雑音発生を防止することができる。
【０１５２】
従って、情報記録が新たに開始され、更にその開始前後を含んで記録された情報を再生する場合に、不要な雑音が発生することを防止して情報を再生可能なように当該情報を記録することが、簡易な処理で可能となる。
【０１５３】
請求項３に記載の発明によれば、ディジタル情報に乗算される窓関数がフェードインする時間の後にフェードアウトする時間が連続する時間軸特性を有すると共に、ディジタル情報の記録を中断するとき、当該中断乗算ディジタル情報を零情報とし、当該零情報を情報記録媒体に記録した後にディジタル情報の記録を中断し、更にディジタル情報の記録を再開するとき、当該再開するタイミングを含む前記窓関数に対応する乗算ディジタル情報を零情報とし、当該零情報を情報記録媒体に記録した後にディジタル情報の記録を再開するので、中断直前又は再開直後におけるディジタル情報の記録強度の変化が窓関数のフェードアウト及びフェードインと同様の変化となることとなり、ディジタル情報の記録の中断／再開時において簡易な処理でフェードアウト及びフェードインさせることができると共に、ディジタル情報の記録強度が中断／再開時の前後で不連続に大幅に変化することに起因する中断前後に渡る連続再生時の雑音発生を防止することができる。
【０１５４】
従って、情報記録が一時的に中断された後に再開され、更にその中断前後を含んで記録された情報を再生する場合に、不要な雑音が発生することを防止して情報を再生可能なように当該情報を記録することが、簡易な処理で可能となる。
【０１５５】
請求項４に記載の発明によれば、ディジタル情報に乗算される窓関数がフェードインする時間の後にフェードアウトする時間が連続する時間軸特性を有すると共に、ディジタル情報の記録を中断するとき、中断するタイミングを含むディジタル情報を零情報に置換し、当該置換された零情報を中断するタイミングを含む乗算ディジタル情報に代えて情報記録媒体に記録した後にディジタル情報の記録を中断し、更にディジタル情報の記録を再開するとき、再開するタイミングを含むディジタル情報を零情報に置換し、当該置換された零情報を再開するタイミングを含む乗算ディジタル情報に代えて情報記録媒体に記録した後に再開するタイミングより後に記録すべきディジタル情報の記録を再開するので、中断直前又は再開直後におけるディジタル情報の記録強度の変化が窓関数のフェードアウト及びフェードインと同様の変化となることとなり、ディジタル情報の記録の中断／再開時において簡易な処理でフェードアウト及びフェードインさせることができると共に、ディジタル情報の記録強度が中断／再開時の前後で不連続に大幅に変化することに起因する中断前後に渡る連続再生時の雑音発生を防止することができる。
【０１５６】
従って、情報記録が一時的に中断された後に再開され、更にその中断前後を含んで記録された情報を再生する場合に、不要な雑音が発生することを防止して情報を再生可能なように当該情報を記録することが、簡易な処理で可能となる。
【０１５７】
請求項５に記載の発明によれば、請求項１から４のいずれか一項に記載の発明の効果に加えて、複数の窓関数が時間軸上において夫々の窓関数に対応する時間の半分の時間づつ相互に重なりを有するように構成されるので、元のディジタル情報に忠実な記録ディジタル情報を生成して記録することができる。
【０１５８】
請求項６に記載の発明によれば、請求項１から５のいずれか一項に記載の発明の効果に加えて、ディジタル情報がオーディオ情報であるので、オーディオ情報の記録終了時、記録開始時又は記録中断／再開時における聴感上の雑音の発生を抑制することができる。
【０１５９】
請求項７に記載の発明によれば、請求項６に記載の発明の効果に加えて、複数の窓関数がＭＤＣＴ符号化方式における歪み除去のための窓関数であるので、ＭＤＣＴ符号化方式を用いてオーディオ情報を記録する際における記録終了時又は記録開始時或いは記録中断／再開時において、簡易な処理でフェードアウト又はフェードインさせることができると共に再生時における聴感上の雑音の発生を抑制することができる。
【０１６０】
請求項８に記載の発明によれば、ディジタル情報に乗算される窓関数がフェードアウトする時間軸特性を有すると共に、ディジタル情報の記録を終了するとき、当該終了乗算ディジタル情報を零情報とし、当該零情報を終了乗算ディジタル情報に代えて情報記録媒体に記録した後にディジタル情報の記録を終了するので、記録終了直前のディジタル情報の記録強度の変化が窓関数のフェードアウトと同様の変化となり、ディジタル情報の記録終了時において簡易な処理でフェードアウトさせることができると共に、ディジタル情報の記録強度が記録終了時において急激に低減することによる再生時の雑音発生を防止することができる。
【０１６１】
従って、記録が終了され、更にその終了前後を含んで記録された情報を再生する場合に、不要な雑音が発生することを防止して情報を再生可能なように当該情報を記録することが、簡易な処理で可能となる。
【０１６２】
請求項９に記載の発明によれば、ディジタル情報に乗算される窓関数がフェードインする時間軸特性を有すると共に、ディジタル情報の記録を開始するとき、当該開始するタイミングを含む窓関数に対応する乗算ディジタル情報を零情報とし、当該零情報を情報記録媒体に記録した後にディジタル情報の記録を開始するので、開始直後のディジタル情報の記録強度の変化が窓関数のフェードインと同様の変化となり、ディジタル情報の記録開始時において簡易な処理でフェードインさせることができると共に、ディジタル情報の記録強度が記録開始時において急激に増大することによる再生時の雑音発生を防止することができる。
【０１６３】
従って、情報記録が新たに開始され、更にその開始前後を含んで記録された情報を再生する場合に、不要な雑音が発生することを防止して情報を再生可能なように当該情報を記録することが、簡易な処理で可能となる。
【０１６４】
請求項１０に記載の発明によれば、ディジタル情報に乗算される窓関数がフェードインする時間の後にフェードアウトする時間が連続する時間軸特性を有すると共に、ディジタル情報の記録を中断するとき、当該中断乗算ディジタル情報を零情報とし、当該零情報を情報記録媒体に記録した後にディジタル情報の記録を中断し、更にディジタル情報の記録を再開するとき、当該再開するタイミングを含む窓関数に対応する乗算ディジタル情報を零情報とし、当該零情報を情報記録媒体に記録した後にディジタル情報の記録を再開するので、中断直前又は再開直後におけるディジタル情報の記録強度の変化が窓関数のフェードアウト及びフェードインと同様の変化となることとなり、ディジタル情報の記録の中断／再開時において簡易な処理でフェードアウト及びフェードインさせることができると共に、ディジタル情報の記録強度が中断／再開時の前後で不連続に大幅に変化することに起因する中断前後に渡る連続再生時の雑音発生を防止することができる。
【０１６５】
従って、情報記録が一時的に中断された後に再開され、更にその中断前後を含んで記録された情報を再生する場合に、不要な雑音が発生することを防止して情報を再生可能なように当該情報を記録することが、簡易な処理で可能となる。
【０１６６】
請求項１１に記載の発明によれば、ディジタル情報に乗算される窓関数がフェードインする時間の後にフェードアウトする時間が連続する時間軸特性を有すると共に、ディジタル情報の記録を中断するとき、中断するタイミングを含むディジタル情報を零情報に置換し、当該置換された零情報を中断するタイミングを含む乗算ディジタル情報に代えて情報記録媒体に記録した後にディジタル情報の記録を中断し、更にディジタル情報の記録を再開するとき、再開するタイミングを含むディジタル情報を零情報に置換し、当該置換された零情報を再開するタイミングを含む乗算ディジタル情報に代えて情報記録媒体に記録した後に再開するタイミングより後に記録すべきディジタル情報の記録を再開するので、中断直前又は再開直後におけるディジタル情報の記録強度の変化が窓関数のフェードアウト及びフェードインと同様の変化となることとなり、ディジタル情報の記録の中断／再開時において簡易な処理でフェードアウト及びフェードインさせることができると共に、ディジタル情報の記録強度が中断／再開時の前後で不連続に大幅に変化することに起因する中断前後に渡る連続再生時の雑音発生を防止することができる。
【０１６７】
従って、情報記録が一時的に中断された後に再開され、更にその中断前後を含んで記録された情報を再生する場合に、不要な雑音が発生することを防止して情報を再生可能なように当該情報を記録することが、簡易な処理で可能となる。
【０１６８】
請求項１２に記載の発明によれば、請求項８から１１のいずれか一項に記載の発明の効果に加えて、複数の窓関数が時間軸上において夫々の窓関数に対応する時間の半分の時間づつ相互に重なりを有するように構成されるので、元のディジタル情報に忠実な記録ディジタル情報を生成して記録することができる。
【０１６９】
請求項１３に記載の発明によれば、請求項８から１２のいずれか一項に記載の発明の効果に加えて、ディジタル情報がオーディオ情報であるので、オーディオ情報の記録終了時、記録開始時又は記録中断／再開時における聴感上の雑音の発生を抑制することができる。
【０１７０】
請求項１４に記載の発明によれば、請求項１３に記載の発明の効果に加えて、複数の窓関数がＭＤＣＴ符号化方式における歪み除去のための窓関数であるので、ＭＤＣＴ符号化方式を用いてオーディオ情報を記録する際における記録終了時又は記録開始時或いは記録中断／再開時において、簡易な処理でフェードアウト又はフェードインさせることができると共に再生時における聴感上の雑音の発生を抑制することができる。
【図面の簡単な説明】
【図１】第１実施形態の情報記録再生装置の概要構成を示すブロック図である。
【図２】オーディオ圧縮回路等の細部構成を示すブロック図であり、（ａ）はオーディオ圧縮回路の細部構成を示すブロック図であり、（ｂ）は解析フィルタ部の細部構成を示すブロック図である。
【図３】通常のフィルタ処理を示す図である。
【図４】オーディオ伸長回路の構成を示すブロック図であり、（ａ）はオーディオ伸長回路の細部構成を示すブロック図であり、（ｂ）はその動作波形を示す図である。
【図５】第１実施形態のフィルタ処理を示すフローチャートであり、（ａ）は記録終了時の処理を示すフローチャートであり、（ｂ）は記録開始時の処理を示すフローチャートである。
【図６】第１実施形態のフィルタ処理を示すタイミングチャートであり、（ａ）は記録終了時の処理を示すタイミングチャートであり、（ｂ）は記録開始時の処理を示すタイミングチャートである。
【図７】記録中断／再開時のフィルタ処理を示すフローチャートである。
【図８】記録中断／再開時のフィルタ処理を示すタイミングチャートである。
【図９】第２実施形態の情報記録再生装置を示す図であり、（ａ）は解析フィルタ部の細部構成を示すブロック図であり、（ｂ）は記録終了時におけるフィルタ処理を示すフローチャートである。
【図１０】第３実施形態の情報記録再生装置を示す図であり、（ａ）は解析フィルタ部の細部構成を示すブロック図であり、（ｂ）は記録終了時におけるフィルタ処理を示すフローチャートである。
【符号の説明】
１…情報記録再生装置
２…光ディスク
３…スピンドルモータ
４…ピックアップ
５…サーボ回路
６…記録系
８…中央制御回路
８ａ…メモリ
９…操作部
１０…表示部
１１、１２…Ａ／Ｄコンバータ
１３…オーディオ圧縮回路
１４…ビデオ回路
１５…マルチプレックス回路
１６…記録バッファメモリ
１７…エンコーダ
１８…記録回路
２０、２０’，２０”…解析フィルタ部
２１…量子化部
２２…パック部
２３…ビット配分部
２５、２７、３７…バッファメモリ
２６、３６…乗算部
２８…置換部
３０、３２…ＣＰＵ
２９、３１…ＦＦＴ部
３３、３４…スイッチ
３５…逆ＦＦＴ部
３８…加算器
３９、４０…Ｄ／Ａコンバータ
４１…ビデオ伸張回路
４２…オーディオ伸張回路
４３…デマルチプレックス回路
４４…再生バッファメモリ
４５…デコーダ
４６…再生回路
４７…逆量子化部
Ｂ…光ビーム
ＳAI、ＳAO…オーディオ信号
ＤAI、ＤAO…オーディオデータ
Ｃ1、Ｃ2、Ｃ3、Ｃ4、Ｃ5、Ｃ6、Ｃ7、ＣCS、ＣB、ＣBA、ＣBM1、ＣBM2、ＣC、ＣSW…制御信号
ＤＰAI、ＤＰAO…圧縮オーディオデータ
ＳVI、ＳVO…ビデオ信号
ＤVI、ＤVO…ビデオデータ
ＤＰVI、ＤＰVO…圧縮ビデオデータ
ＤＰW…圧縮データ
ＤWE…エンコードデータ
ＤＰAV、ＤＰR…デコードデータ
Ｃmw、Ｃmr…データ量信号
ＤWT…記録用データ
ＤＰPP…再生データ
ＤRD…検出データ
ＣPC、ＣSC…サーボ制御信号
ＤF…フィルタデータ
ＤQ…量子化オーディオデータ
ＤＰAI…圧縮オーディオデータ
ＤB1、ＤB2…メモリデータ
ＤWW…乗算データ
ＤC、ＤCC…置換データ
ＤCF、ＤFF…周波数領域データ
ＤＰEX…伸長データ
【図１】
0003805929.tif 000002
【図２】
0003805929.tif 000003
【図３】
0003805929.tif 000004
【図４】
0003805929.tif 000005
【図５】
0003805929.tif 000006
【図６】
0003805929.tif 000007
【図７】
0003805929.tif 000008
【図８】
0003805929.tif 000009
【図９】
0003805929.tif 000010
【図１０】
0003805929.tif 000011